(57)【要約】  本発明に係る送風機は、プロペラファンと、前記プロペラファンの外周側を囲うベルマウスと、前記ベルマウスよりも下流側に配置され、複数の第１桟を有するファングリルと、を備えている。前記ベルマウスの前記吹出口の縁は、前記プロペラファンの回転軸からの距離が変化する変化部を有している。前記複数の第１桟のうちの任意の第１桟を該任意の第１桟の長手方向と垂直な断面で切断した切断面において、上流側端部と下流側端部とを結ぶ仮想直線を第１仮想直線とする。前記複数の第１桟のうち、前記変化部の内周側に配置された部分は、前記縁の側面壁と前記回転軸との距離に応じて、前記回転軸と平行な仮想直線と前記第１仮想直線との間の角度を異ならせている。
2019234793.tif 000002
【特許請求の範囲】
【請求項１】
回転軸を中心に回転するプロペラファンと、
吹出口を有し、前記プロペラファンの外周側を囲うベルマウスと、
前記プロペラファンが発生する気流方向において前記吹出口よりも下流側に配置され、複数の第１桟を有するファングリルと、
を備え、
前記複数の第１桟のそれぞれは、前記気流方向に、上流側となる上流側端部と、下流側となる下流側端部とを有し、
前記複数の第１桟のうち、任意の第１桟を該任意の第１桟の長手方向と垂直な断面で切断した切断面において、
前記上流側端部と前記下流側端部とを結ぶ仮想直線を第１仮想直線、
前記第１仮想直線と前記回転軸と平行な仮想直線とがなす角度のうち、前記下流側端部側に鋭角に形成される角度を傾斜角度と定義し、
前記回転軸と垂直で、前記回転軸、前記吹出口及び前記複数の第１桟を投影した仮想平面において、
前記回転軸の位置を中心点、
前記中心点と前記吹出口の縁の任意の一点とを結ぶ仮想直線を第２仮想直線、
前記第２仮想直線の長さを径方向距離、
前記中心点を中心として前記プロペラファンの回転方向に前記第２仮想直線を回転させた際に、前記径方向距離が縮小し始める前記吹出口の前記縁の位置を第１点、
前記中心点を中心として前記回転方向に前記第２仮想直線を回転させた際に、前記第１点の後方において前記径方向距離が拡大し始める前記吹出口の前記縁の位置を第２点、
前記中心点を中心として前記回転方向に前記第２仮想直線を回転させた際に、前記第２点の後方において前記径方向距離の拡大が終了する前記吹出口の前記縁の位置を第３点、
前記回転方向において前記第１点よりも後方で前記第２点よりも前方に位置し、前記第１点と前記第２点との中間点となる前記吹出口の前記縁の位置を第４点、
前記回転方向において前記第２点よりも後方で前記第３点よりも前方に位置し、前記第２点と前記第３点との中間点となる前記吹出口の前記縁の位置を第５点、
前記回転方向において前記第１点よりも後方で前記第４点よりも前方となる前記吹出口の前記縁の位置を第６点、
前記中心点から前記第６点までの前記径方向距離を第１径方向距離、
前記回転方向において前記第５点よりも後方で前記第３点よりも前方となり、前記径方向距離が前記第１径方向距離となる前記吹出口の前記縁の位置を第７点、
前記中心点と前記第６点とを結ぶ仮想直線を第３仮想直線、
前記中心点と前記第７点とを結ぶ仮想直線を第４仮想直線、
前記複数の第１桟のうちで、前記中心点を中心とする仮想円と前記第３仮想直線との交点に位置する箇所を第８点、
前記複数の第１桟のうちで、前記仮想円と前記第４仮想直線との交点に位置する箇所を第９点と定義した場合、
前記第８点及び前記第９点における前記切断面の形状は、前記上流側端部から前記下流側端部へ向かう第１方向の幅が該第１方向と垂直な第２方向の幅よりも長い形状となっており、
前記第８点の前記傾斜角度は、前記第９点の前記傾斜角度よりも小さい送風機。
【請求項２】
前記仮想平面において、
前記回転方向において前記第４点よりも後方で前記第２点よりも前方となる前記吹出口の前記縁の位置を第１０点、
前記中心点から前記第１０点までの前記径方向距離を第２径方向距離、
前記回転方向において前記第２点よりも後方で前記第５点よりも前方となり、前記径方向距離が前記第２径方向距離となる前記吹出口の前記縁の位置を第１１点、
前記中心点と前記第１０点とを結ぶ仮想直線を第５仮想直線、
前記中心点と前記第１１点とを結ぶ仮想直線を第６仮想直線、
前記複数の第１桟のうちで、前記仮想円と前記第５仮想直線との交点に位置する箇所を第１２点、
前記複数の第１桟のうちで、前記仮想円と前記第６仮想直線との交点に位置する箇所を第１３点と定義した場合、
前記第１２点及び前記第１３点における前記切断面の形状は、前記第１方向の幅が前記第２方向の幅よりも長い形状となっており、
前記第１２点の前記傾斜角度は、前記第１３点の前記傾斜角度よりも小さい請求項１に記載の送風機。
【請求項３】
前記仮想平面において、
前記回転方向において前記第１点よりも後方で前記第３点よりも前方となる前記吹出口の前記縁の位置を第１４点、
前記中心点と前記第１４点とを結ぶ仮想直線を第７仮想直線、
前記複数の第１桟のうちで、第７仮想直線との交点に位置する任意の１箇所を第１５点、
前記複数の第１桟のうちで、前記第１５点よりも前記中心点から離れた位置において第７仮想直線との交点に位置する箇所を第１６点と定義した場合、
前記第１５点及び前記第１６点における前記切断面の形状は、前記第１方向の幅が前記第２方向の幅よりも長い形状となっており、
前記第１６点の前記傾斜角度は、前記第１５点の前記傾斜角度よりも大きい請求項１又は請求項２に記載の送風機。
【請求項４】
前記仮想平面において、
前記複数の第１桟のうちの任意の１箇所を第１７点、
前記複数の第１桟のうちで、前記中心点を対称の中心としたときに前記第１７点と点対称の位置になる箇所を第１８点と定義した場合、
同方向から前記第１７点及び前記第１８点を観察した際、
前記第１７点と前記第１８点とは、傾斜方向が逆になっている請求項１〜請求項３のいずれか一項に記載の送風機。
【請求項５】
前記ファングリルは、前記複数の第１桟のそれぞれを横切る複数の第２桟を備え、
前記複数の第１桟のうちの任意の１つを観察した際、前記複数の第２桟のうちの隣接する第２桟の間において前記傾斜角度が同じになっている請求項１〜請求項４のいずれか一項に記載の送風機。
【請求項６】
請求項１〜請求項５のいずれか一項に記載の送風機と、
内部を流れる冷媒と前記送風機によって供給された空気とが熱交換する熱交換器と、
を備えた冷凍サイクル装置。
【発明の詳細な説明】
【技術分野】
【０００１】
本発明は、ファングリルを備えた送風機、及び該送風機を備えた冷凍サイクル装置に関する。
【背景技術】
【０００２】
従来、冷凍サイクル装置等に搭載される送風機として、プロペラファン及びベルマウスを備えた送風機が提案されている。ベルマウスは、プロペラファンの外周側を囲い、風路を構成する部品である。また、プロペラファン及びベルマウスを備えた送風機は、プロペラファンが発生する気流方向においてベルマウスの吹出口よりも下流側に、ファングリルを備える場合もある。ファングリルは、プロペラファンに人の指が接触しないように、プロペラファン及びベルマウスの吹出口を通風自在に覆う部品である。【０００３】
送風機の駆動時に発生する騒音及びエネルギー損失は、送風機内での通風抵抗及び気流の乱れによって発生する。ここで、上述のように、ファングリルは、プロペラファンに人の指が接触することを防止する部品である。このため、ファングリルは、人の指が入り込まない間隔で複数の桟を並べて構成される。このため、ファングリルは、通風抵抗及び気流の乱れを大きくしやすい。【０００４】
そこで、プロペラファン、ベルマウス及びファングリルを備えた従来の送風機では、通風抵抗及び気流の乱れを低減するファングリルの形状が提案されている。例えば、特許文献１に記載の送風機のファングリルは、複数の横桟を備えている。横桟のそれぞれにおける長手方向と垂直な断面形状は、上流側端部から下流側端部へ向かう方向の幅が当該方向と垂直な方向の幅よりも長い形状となっている。すなわち、横桟のそれぞれにおける長手方向と垂直な断面形状は、上流側端部から下流側端部へ向かう方向に細長い形状となっている。そして、横桟のそれぞれは、長手方向の一端側と他端側とで反対の傾きになるように捻られている。また、横桟のそれぞれは、同角度で捻られている。プロペラファンから吹き出される気流は、旋回流となっている。このため、特許文献１によると、特許文献１のように各横桟を構成することにより、上流側端部から下流側端部へ向かう方向を、プロペラファンから吹き出される気流方向に沿わせることができるとなっている。すなわち、特許文献１によると、特許文献１のように各横桟を構成することにより、通風抵抗及び気流の乱れを低減することができ、送風機の駆動時に発生する騒音及びエネルギー損失を低減できるとなっている。
【先行技術文献】
【特許文献】
【０００５】
【特許文献１】特開２００７−１６３０３６号公報
【発明の概要】
【発明が解決しようとする課題】
【０００６】
プロペラファンから吹き出される気流の方向は、すなわち、プロペラファンの回転軸に対する旋回流の傾き度合いは、プロペラファンの羽根形状以外にも、ベルマウス形状の影響も受ける。例えば、ベルマウスの吹出口が円形状の場合、すなわち、ベルマウスの吹出口がプロペラファンの回転軸を中心軸として軸対称形状となっている場合、プロペラファンの回転軸に対する旋回流の傾き度合いは一定となる。換言すると、ベルマウスの吹出口の縁とプロペラファンの回転軸との間の距離が一定の場合、プロペラファンの回転軸に対する旋回流の傾き度合いは一定となる。特許文献１に記載のプロペラファンは、このようなベルマウスの吹出口が円形状の場合が前提となっている。このため、ベルマウスの吹出口が円形状の場合、特許文献１のように各横桟を構成することにより、上流側端部から下流側端部へ向かう方向を、プロペラファンから吹き出される気流方向に沿わせることができる。すなわち、ベルマウスの吹出口が円形状の場合、特許文献１のように各横桟を構成することにより、通風抵抗及び気流の乱れを低減することができ、送風機の駆動時に発生する騒音及びエネルギー損失を低減できる。【０００７】
ここで、近年、送風機が搭載される筐体のサイズを小さくするため、ベルマウスの吹出口の縁の一部をプロペラファンの回転軸側に凹ませる場合がある。すなわち、ベルマウスの吹出口が、プロペラファンの回転軸を中心軸として非軸対称形状となる場合がある。このような場合、ベルマウスの吹出口の縁とプロペラファンの回転軸との間の距離が、場所によって変化する。したがって、ベルマウスの吹出口では、プロペラファンの回転軸に対する旋回流の傾き度合いが場所によって変化する。詳しくは、プロペラファンの回転方向に見ていった際に、ベルマウスの吹出口の縁とプロペラファンの回転軸との間の距離が縮小する範囲では、プロペラファンから吹き出される気流が加速し、プロペラファンの回転軸に対する旋回流の傾きが小さくなる。一方、プロペラファンの回転方向に見ていった際に、ベルマウスの吹出口の縁とプロペラファンの回転軸との間の距離が拡大する範囲では、プロペラファンから吹き出される気流が減速し、プロペラファンの回転軸に対する旋回流の傾きが大きくなる。【０００８】
このように、ベルマウスの吹出口がプロペラファンの回転軸を中心軸として非軸対称形状となる場合、ベルマウスの吹出口では、プロペラファンの回転軸に対する旋回流の傾きが場所によって変化する。したがって、ベルマウスの吹出口がプロペラファンの回転軸を中心軸として非軸対称形状となる送風機の場合、特許文献１に記載の各横桟の構成をファングリルに採用しても、上流側端部から下流側端部へ向かう方向をプロペラファンから吹き出される気流方向に沿わせることができず、送風機の駆動時に発生する騒音及びエネルギー損失を低減できないという課題があった。【０００９】
本発明は、上述のような課題を解決するためになされたものであり、ベルマウスの吹出口がプロペラファンの回転軸を中心軸として非軸対称形状となる送風機において、従来よりも送風機の駆動時に発生する騒音及びエネルギー損失を低減できるファングリルを備えた送風機を提供することを第１の目的とする。また、本発明は、当該送風機を備えた冷凍サイクル装置を提供することを第２の目的とする。
【課題を解決するための手段】
【００１０】
本発明に係る送風機は、回転軸を中心に回転するプロペラファンと、吹出口を有し、前記プロペラファンの外周側を囲うベルマウスと、前記プロペラファンが発生する気流方向において前記吹出口よりも下流側に配置され、複数の第１桟を有するファングリルと、を備え、前記複数の第１桟のそれぞれは、前記気流方向に、上流側となる上流側端部と、下流側となる下流側端部とを有し、前記複数の第１桟のうち、任意の第１桟を該任意の第１桟の長手方向と垂直な断面で切断した切断面において、前記上流側端部と前記下流側端部とを結ぶ仮想直線を第１仮想直線、前記第１仮想直線と前記回転軸と平行な仮想直線とがなす角度のうち、前記下流側端部側に鋭角に形成される角度を傾斜角度と定義し、前記回転軸と垂直で、前記回転軸、前記吹出口及び前記複数の第１桟を投影した仮想平面において、前記回転軸の位置を中心点、前記中心点と前記吹出口の縁の任意の一点とを結ぶ仮想直線を第２仮想直線、前記第２仮想直線の長さを径方向距離、前記中心点を中心として前記プロペラファンの回転方向に前記第２仮想直線を回転させた際に、前記径方向距離が縮小し始める前記吹出口の前記縁の位置を第１点、前記中心点を中心として前記回転方向に前記第２仮想直線を回転させた際に、前記第１点の後方において前記径方向距離が拡大し始める前記吹出口の前記縁の位置を第２点、前記中心点を中心として前記回転方向に前記第２仮想直線を回転させた際に、前記第２点の後方において前記径方向距離の拡大が終了する前記吹出口の前記縁の位置を第３点、前記回転方向において前記第１点よりも後方で前記第２点よりも前方に位置し、前記第１点と前記第２点との中間点となる前記吹出口の前記縁の位置を第４点、前記回転方向において前記第２点よりも後方で前記第３点よりも前方に位置し、前記第２点と前記第３点との中間点となる前記吹出口の前記縁の位置を第５点、前記回転方向において前記第１点よりも後方で前記第４点よりも前方となる前記吹出口の前記縁の位置を第６点、前記中心点から前記第６点までの前記径方向距離を第１径方向距離、前記回転方向において前記第５点よりも後方で前記第３点よりも前方となり、前記径方向距離が前記第１径方向距離となる前記吹出口の前記縁の位置を第７点、前記中心点と前記第６点とを結ぶ仮想直線を第３仮想直線、前記中心点と前記第７点とを結ぶ仮想直線を第４仮想直線、前記複数の第１桟のうちで、前記中心点を中心とする仮想円と前記第３仮想直線との交点に位置する箇所を第８点、前記複数の第１桟のうちで、前記仮想円と前記第４仮想直線との交点に位置する箇所を第９点と定義した場合、前記第８点及び前記第９点における前記切断面の形状は、前記上流側端部から前記下流側端部へ向かう第１方向の幅が該第１方向と垂直な第２方向の幅よりも長い形状となっており、前記第８点の前記傾斜角度は、前記第９点の前記傾斜角度よりも小さい。【００１１】
また、本発明に係る冷凍サイクル装置は、本発明に係る送風機と、内部を流れる冷媒と前記送風機によって供給された空気とが熱交換する熱交換器と、を備えている。
【発明の効果】
【００１２】
本発明に係る送風機は、ベルマウスの吹出口がプロペラファンの回転軸を中心軸として非軸対称形状となっており、旋回流の傾きが変化する場合でも、従来よりも、上流側端部から下流側端部へ向かう方向をプロペラファンから吹き出される気流方向に沿わせることができる。したがって、本発明に係る送風機は、ベルマウスの吹出口がプロペラファンの回転軸を中心軸として非軸対称形状となる送風機において、送風機の駆動時に発生する騒音及びエネルギー損失を従来よりも低減できる。
【図面の簡単な説明】
【００１３】
【図１】本発明の実施の形態１に係る送風機のプロペラファンを示す図である。
【図２】本発明の実施の形態１に係る送風機の斜視図であり、ファングリルを取り外した状態を示す斜視図である。
【図３】本発明の実施の形態１に係るファングリルの正面図である。
【図４】本発明の実施の形態１に係る送風機の斜視図であり、ファングリルを取り付けた状態を示す斜視図である。
【図５】本発明の実施の形態１に係るファングリルの第１桟の断面図であり、任意の第１桟を該第１桟の長手方向と垂直な断面で切断した切断面を示している。
【図６】本発明の実施の形態１に係る送風機において、回転軸と垂直な仮想平面に、回転軸及びベルマウスの吹出口を投影した図である。
【図７】本発明の実施の形態１に係る送風機における、回転軸とベルマウスの吹出口との距離を説明するための図である。
【図８】本発明の実施の形態１に係る送風機の旋回流の状態を説明するための図である。
【図９】本発明の実施の形態１に係る送風機において、回転軸と垂直な仮想平面に、回転軸、ベルマウスの吹出口及び複数の第１桟を投影した図である。
【図１０】本発明の実施の形態１に係る送風機において、回転軸と垂直な仮想平面に、回転軸、ベルマウスの吹出口及び複数の第１桟を投影した図である。
【図１１】図９に示す第８点及び第９点の位置における第１桟の断面図であり、第８点及び第９点の位置において第１桟を該第１桟の長手方向と垂直な断面で切断した切断面を示している。
【図１２】本発明の実施の形態１に係る送風機において、回転軸と垂直な仮想平面に、回転軸、ベルマウスの吹出口及び複数の第１桟を投影した図である。
【図１３】本発明の実施の形態２に係る送風機において、回転軸と垂直な仮想平面に、回転軸及びベルマウスの吹出口を投影した図である。
【図１４】本発明の実施の形態２に係る送風機における、回転軸とベルマウスの吹出口との距離を説明するための図である。
【図１５】本発明の実施の形態２に係る送風機において、回転軸と垂直な仮想平面に、回転軸、ベルマウスの吹出口及び複数の第１桟を投影した図である。
【図１６】本発明の実施の形態３に係る送風機における傾斜角度の変化の一例を示す図である。
【図１７】本発明の実施の形態３に係る送風機における傾斜角度の変化の別の一例を示す図である。
【図１８】本発明の実施の形態４に係る送風機において、回転軸と垂直な仮想平面に、回転軸、ベルマウスの吹出口及び複数の第１桟を投影した図である。
【図１９】図１８に示す第１５点及び第１６点の位置における第１桟の断面図であり、第１５点及び第１６点の位置において第１桟を該第１桟の長手方向と垂直な断面で切断した切断面を示している。
【図２０】本発明の実施の形態５に係る送風機において、回転軸と垂直な仮想平面に、回転軸、ベルマウスの吹出口及び複数の第１桟を投影した図である。
【図２１】図２０に示す第１７点及び第１８点の位置における第１桟の断面図であり、第１７点及び第１８点の位置において第１桟を該第１桟の長手方向と垂直な断面で切断した切断面を示している。
【図２２】本発明の実施の形態６に係る送風機のファングリルの一部を拡大した斜視図である。
【図２３】本発明の実施の形態６に係る送風機において、回転軸と垂直な仮想平面に、回転軸、ベルマウスの吹出口及びファングリルを投影した図である。
【図２４】本発明の実施の形態７に係る空気調和機の室外機を吹出口側から見たときの斜視図である。
【図２５】本発明の実施の形態７に係る空気調和機の室外機の内部構造を上方から見た図である。
【図２６】本発明の実施の形態７に係る空気調和機の室外機を吹出口側から見たときの斜視図であり、ファングリルを取り外した状態を示す図である。
【図２７】本発明の実施の形態７に係る空気調和機の室外機の内部構造を示す斜視図である。
【発明を実施するための形態】
【００１４】
実施の形態１．
図１は、本発明の実施の形態１に係る送風機のプロペラファンを示す図である。なお、図１は、プロペラファン１の回転軸１ａ方向に、該プロペラファン１を翼３の圧力面側から観察した図となっている。翼３の圧力面とは、翼３の表面のうち、空気を押し出す側の表面である。
【００１５】
プロペラファン１は、回転軸１ａを中心に回転する。具体的には、図１に細線の円弧状矢印で示すように、プロペラファン１は、回転軸１ａ中心に、回転方向４の方向に回転する。このプロペラファン１は、回転軸１ａを中心に回転するボス２を備えている。また、プロペラファン１は、ボス２の外周部に、複数の翼３を備えている。すなわち、複数の翼３は、ボス２と共に、回転軸１ａを中心に回転する。
【００１６】
翼３は、端部として、前縁５、後縁６及び外周縁７を有する。前縁５は、翼３の回転方向において前側となる端部である。後縁６は、翼３の回転方向において後ろ側となる端部である。外周縁７は、翼３の半径方向の外周端となる部分である。モータ等の図示せぬ駆動源によって、プロペラファン１が回転方向４の方向に回転すると、気流８で示すように各翼３の表面を空気が流れる。
【００１７】
図２は、本発明の実施の形態１に係る送風機の斜視図であり、ファングリルを取り外した状態を示す斜視図である。なお、図２は、ベルマウス１０の吹出口１１側から、ファングリル２０を取り外した状態の送風機４０を示している。
本実施の形態１に係る送風機４０は、ベルマウス１０を備えている。ベルマウス１０は、吹出口１１を有し、プロペラファン１の外周側を囲っている。すなわち、ベルマウス１０は、風路を構成する部品である。
【００１８】
一般的に、ベルマウスの吹出口の縁は、プロペラファンの回転軸を中心とする円形状となっている。すなわち、一般的に、ベルマウスの吹出口の縁は、プロペラファンの回転軸を中心軸として軸対称形状となっている。一方、本実施の形態１に係るベルマウス１０の吹出口１１の縁１２は、プロペラファン１の回転軸１ａを中心軸として非軸対称形状となっている。詳しくは、ベルマウス１０の吹出口１１の縁１２は、一定部１３及び変化部１４を備えている。一定部１３は、縁１２のうちで、回転軸１ａからの距離が一定になる部分である。一定部１３は、回転軸１ａ方向に該一定部１３を観察した際、回転軸１ａを中心とする円弧形状となっている。変化部１４は、縁１２のうちで、回転軸１ａからの距離が変化する部分である。本実施の形態１では、変化部１４は、回転軸１ａ方向に該変化部１４を観察した際、直線形状となっている。
【００１９】
図３は、本発明の実施の形態１に係るファングリルの正面図である。また、図４は、本発明の実施の形態１に係る送風機の斜視図であり、ファングリルを取り付けた状態を示す斜視図である。図５は、本発明の実施の形態１に係るファングリルの第１桟の断面図であり、任意の第１桟を該第１桟の長手方向と垂直な断面で切断した切断面を示している。なお、図４は、ベルマウス１０の吹出口１１側から、ファングリル２０を取り付けた状態の送風機４０を示している。また、図５は、例えば、図３のＺ−Ｚ断面での第１桟２１の断面図である。また、図５に示す白抜き矢印は、図５に示す断面における、プロペラファン１から吹き出される気流９０の方向を示している。
【００２０】
本実施の形態１に係る送風機４０は、プロペラファン１に人の指が接触しないように、プロペラファン１及びベルマウス１０の吹出口１１を通風自在に覆うファングリル２０を備えている。ファングリル２０は、プロペラファン１が発生する気流方向においてベルマウス１０の吹出口１１よりも下流側に配置されている。ファングリル２０は、複数の第１桟２１を有している。これら複数の第１桟２１は、隣接する第１桟２１の間に人の指が挿入されない程度の間隔を空けて並べられている。すなわち、ファングリル２０は、複数の第１桟２１によって、プロペラファン１及びベルマウス１０の吹出口１１を通風自在に覆っている。図３では、紙面上下方向に延びる第１桟２１のそれぞれが、紙面横方向に所定の間隔を空けて並べられている。
【００２１】
また、ファングリル２０は、第１桟２１のそれぞれを横切る複数の第２桟２２を備えている。なお、図３では、紙面横方向に延びる第２桟２２のそれぞれが、紙面上下方向に所定の間隔を空けて並べられている。すなわち、複数の第１桟２１及び複数の第２桟２２は、網目状に配置されている。これら複数の第２桟２２は、第１桟２１のそれぞれを支持し、第１桟２１のそれぞれの強度を確保する機能を果たす。本実施の形態１では、ファングリル２０の通風抵抗を低減するため、第２桟２２の本数を第１桟２１の本数よりも少なくしている。
【００２２】
図５に示すように、第１桟２１のそれぞれは、第１桟２１の長手方向と垂直な断面で切断した断面が例えば楕円形状等の細長い形状となっている。詳しくは、第１桟２１のそれぞれは、プロペラファン１が発生する気流方向に、上流側となる上流側端部２３と、下流側となる下流側端部２４とを有している。そして、第１桟２１の長手方向と垂直な断面で切断した切断面において、第１桟２１のそれぞれの形状は、上流側端部２３から下流側端部２４へ向かう第１方向の幅が該第１方向と垂直な第２方向の幅よりも長い形状となっている。
【００２３】
また、第１桟２１の長手方向と垂直な断面で切断した切断面において、第１桟２１の少なくとも一部は、上記の第１方向である長手方向がプロペラファン１の回転軸１ａに対して傾いている。詳しくは、図５に示すように、第１桟２１の長手方向と垂直な断面で切断した切断面において、上流側端部２３と下流側端部２４とを結ぶ仮想直線を第１仮想直線１２１とする。図５には、プロペラファン１の回転軸１ａと平行な仮想直線１ｂが描かれている。図５に示すように、第１桟２１の長手方向と垂直な断面で切断した切断面において、第１仮想直線１２１と仮想直線１ｂとがなす角度のうち、下流側端部２４側に鋭角に形成される角度を傾斜角度１４０とする。この場合、傾斜角度１４０は、０°よりも大きくなっている。すなわち、第１仮想直線１２１は、仮想直線１ｂに対して傾いている。より詳しくは、第１桟２１の長手方向と垂直な断面で切断した切断面において、上流側端部２３から下流側端部２４へ向かう第１方向が当該切断面位置におけるプロペラファン１の回転方向に向かうように、第１仮想直線１２１は仮想直線１ｂに対して傾いている。
【００２４】
プロペラファン１から吹き出される気流は、旋回流となっている。すなわち、プロペラファン１から吹き出される気流の方向は、プロペラファン１の回転軸１ａに対して傾いている。このため、上述のように第１仮想直線１２１を仮想直線１ｂに対して傾けることにより、プロペラファン１から吹き出された気流が第１桟２１に沿って流れやすくなる。プロペラファン１から吹き出された気流が第１桟２１に沿って流れることができれば、ファングリル２０の通風抵抗を低減することができる。また、プロペラファン１から吹き出された気流が第１桟２１に沿って流れることができれば、プロペラファン１から吹き出された気流が第１桟２１の表面から剥離することと等を抑制でき、気流の乱れを抑制することもできる。すなわち、プロペラファン１から吹き出された気流が第１桟２１に沿って流れることができれば、送風機４０の駆動時に発生する騒音及びエネルギー損失を低減できる。
【００２５】
ここで、ベルマウス１０の吹出口１１がプロペラファン１の回転軸１ａを中心軸として軸対称形状となっている場合、プロペラファン１の回転軸１ａに対する旋回流の傾き度合いは一定となる。このため、ベルマウス１０の吹出口１１がプロペラファン１の回転軸１ａを中心軸として軸対称形状となっている場合、第１桟２１のそれぞれの各位置において仮想直線１ｂに対する第１仮想直線１２１の傾きを一定にしていても、プロペラファン１から吹き出された気流が第１桟２１に沿って流れることができる。
【００２６】
しかしながら、上述のように、本実施の形態１に係る送風機４０においては、ベルマウス１０の吹出口１１は、プロペラファン１の回転軸１ａを中心軸として非軸対称形状となっている。このため、本実施の形態１に係る送風機４０においては、プロペラファン１の回転軸１ａに対する旋回流の傾きが場所によって変化する。したがって、本実施の形態１に係る送風機４０においては、第１桟２１のそれぞれの各位置において仮想直線１ｂに対する第１仮想直線１２１の傾きを一定にした場合、プロペラファン１から吹き出された気流が第１桟２１に沿って流れることができない箇所が発生する。このため、本実施の形態１に係る送風機４０においては、場所によって、仮想直線１ｂに対する第１仮想直線１２１の傾きを異ならせている。
【００２７】
以下、本実施の形態１に係る送風機４０ではプロペラファン１から吹き出された気流がどのように流れるのかについて、詳しく説明する。また、仮想直線１ｂに対する第１仮想直線１２１の傾きの場所による異ならせ方について、詳しく説明する。
【００２８】
図６は、本発明の実施の形態１に係る送風機において、回転軸と垂直な仮想平面に、回転軸及びベルマウスの吹出口を投影した図である。また、図７は、本発明の実施の形態１に係る送風機における、回転軸とベルマウスの吹出口との距離を説明するための図である。
【００２９】
図６に示す仮想平面において、中心点１００、第２仮想直線１２２及び径方向距離１３０を次のように定義する。プロペラファン１の回転軸１ａの位置を中心点１００とする。中心点１００とベルマウス１０の吹出口１１の縁１２の任意の一点とを結ぶ仮想直線を、第２仮想直線１２２とする。第２仮想直線１２２の長さを径方向距離１３０とする。すなわち、径方向距離１３０は、プロペラファン１の回転軸１ａとベルマウス１０の吹出口１１の縁１２の任意の一点との間の距離を表している。
【００３０】
中心点１００を中心としてプロペラファン１の回転方向４に第２仮想直線１２２を回転させていくと、径方向距離１３０は図７のように変化する。換言すると、第２仮想直線の一端である吹出口１１の縁１２の任意の一点をプロペラファン１の回転方向４に移動させていくと、径方向距離１３０は図７のように変化する。
【００３１】
詳しくは、図６に示すＡ点からＢ点までの範囲は、吹出口１１の縁１２のうち、一定部１３となっている範囲である。上述のように、一定部１３は、回転軸１ａを中心とする円弧形状となっている。このため、Ａ点からＢ点までの範囲では、径方向距離１３０は、変化せずに一定となっている。すなわち、Ａ点からＢ点までの範囲は、プロペラファン１の回転軸１ａからの距離が一定となっている。
【００３２】
図６に示すＢ点からＤ点までの範囲は、吹出口１１の縁１２のうち、変化部１４となっている範囲である。上述のように、変化部１４は、回転軸１ａ方向に該変化部１４を観察した際、直線形状となっている。このため、Ｂ点とＤ点との中間点をＣ点とした場合、Ｂ点からＣ点までの範囲では、径方向距離１３０は、縮小していく。すなわち、Ｂ点からＣ点までの範囲では、プロペラファン１の回転軸１ａからの距離が縮小していく。また、Ｃ点からＤ点までの範囲では、径方向距離１３０は、拡大していく。すなわち、Ｃ点からＤ点までの範囲では、プロペラファン１の回転軸１ａからの距離が拡大していく。
【００３３】
図６に示すＤ点からＥ点までの範囲は、吹出口１１の縁１２のうち、一定部１３となっている範囲である。このため、Ｄ点からＥ点までの範囲では、Ａ点からＢ点までの範囲と同様に、径方向距離１３０は、変化せずに一定となっている。以下、吹出口１１の縁１２のうちの変化部１４では、Ｂ点からＤ点までの範囲と同様に径方向距離１３０が変化する。また、吹出口１１の縁１２のうちの一定部１３では、Ａ点からＢ点までの範囲及びＤ点からＥ点までの範囲と同様に、径方向距離１３０が一定となる。
【００３４】
本実施の形態１に係る送風機４０は、ベルマウス１０の吹出口１１の縁１２の形状が上述のようになっているため、プロペラファン１から吹き出される気流の回転軸１ａに対する傾きは、以下のように変化する。
【００３５】
図８は、本発明の実施の形態１に係る送風機の旋回流の状態を説明するための図である。なお、図８は、ベルマウス１０の吹出口１１側から、ファングリル２０を取り外した状態の送風機４０を示している。
プロペラファン１の回転により、翼３周辺の気流は、翼３の前縁５側から流入し、翼３の後縁６から放出される。翼３間を通過する気流は、翼３に沿って流れるときに翼３の傾き及び反りにより方向が変えられ、運動量変化により静圧が上昇する。プロペラファン１から吹き出される気流は、翼３の旋回にしたがって、回転軸１ａ方向に対して回転方向４側及び半径方向外側に傾斜した向きとなる。すなわち、プロペラファン１から吹き出される気流は、旋回流となる。
【００３６】
ここで、本実施の形態１に係る送風機４０においては、ベルマウス１０の吹出口１１は、プロペラファン１の回転軸１ａを中心軸として非軸対称形状となっている。このため、本実施の形態１に係る送風機４０では、プロペラファン１から吹き出される気流に、次のような現象が起きる。
【００３７】
上述のように、ベルマウス１０の吹出口１１の縁１２における変化部１４のうち、Ｂ点からＣ点までの範囲では、径方向距離１３０が縮小していく。すなわち、Ｂ点からＣ点までの範囲では、プロペラファン１の回転方向４に進むにしたがって、吹出口１１の縁１２の側面壁１５がプロペラファン１の回転軸１ａに近づいていく。このため旋回しながら半径方向外側へ広がるプロペラファン１からの吹出気流は、吹出口１１の縁１２の側面壁１５のうちのＢ点からＣ点までの範囲によって、回転軸１ａ方向に矯正される。したがって、図８で気流９１として示すように、Ｂ点からＣ点までの範囲では、プロペラファン１からの吹出気流は、回転軸１ａ方向の成分が強くなり、回転軸１ａに対する傾きが小さくなる。
【００３８】
一方、上述のように、ベルマウス１０の吹出口１１の縁１２における変化部１４のうち、Ｃ点からＤ点までの範囲では、径方向距離１３０が拡大していく。すなわち、Ｃ点からＤ点までの範囲では、プロペラファン１の回転方向４に進むにしたがって、吹出口１１の縁１２の側面壁１５がプロペラファン１の回転軸１ａから離れていく。このため旋回しながら半径方向外側へ広がるプロペラファン１からの吹出気流は、半径方向外側へ広がりやすくなる。したがって、図８で気流９２として示すように、Ｃ点からＤ点までの範囲では、プロペラファン１からの吹出気流は、回転軸１ａに対する傾きが大きくなる。
【００３９】
そこで、本実施の形態１に係る送風機４０では、仮想直線１ｂに対する第１仮想直線１２１の傾きである傾斜角度１４０を場所によって次のように異ならせている。
【００４０】
図９及び図１０は、本発明の実施の形態１に係る送風機において、回転軸と垂直な仮想平面に、回転軸、ベルマウスの吹出口及び複数の第１桟を投影した図である。図１１は、図９に示す第８点及び第９点の位置における第１桟の断面図であり、第８点及び第９点の位置において第１桟を該第１桟の長手方向と垂直な断面で切断した切断面を示している。なお、図１１（ａ）が、図９に示す第８点での第１桟２１の断面図となっている。また、図１１（ｂ）が、図９に示す第９点での第１桟２１の断面図となっている。
【００４１】
図９に示す仮想平面において、第１点１０１、第２点１０２、第３点１０３、第４点１０４、第５点１０５、第６点１０６、第１径方向距離１３１、第７点１０７、第３仮想直線１２３、第４仮想直線１２４、第８点１０８、及び第９点１０９を次のように定義する。
【００４２】
中心点１００を中心としてプロペラファン１の回転方向４に第２仮想直線１２２を回転させた際に、径方向距離１３０が縮小し始める吹出口１１の縁１２の位置を第１点１０１とする。すなわち、第１点１０１は、例えば、図６のＢ点である。中心点１００を中心としてプロペラファン１の回転方向４に第２仮想直線１２２を回転させた際に、第１点１０１の後方において径方向距離１３０が拡大し始める吹出口１１の縁１２の位置を第２点１０２とする。すなわち、第２点１０２は、例えば、図６のＣ点である。中心点１００を中心としてプロペラファン１の回転方向４に第２仮想直線１２２を回転させた際に、第２点１０２の後方において径方向距離１３０の拡大が終了する吹出口１１の縁１２の位置を第３点１０３とする。すなわち、第３点１０３は、例えば、図６のＤ点である。
【００４３】
プロペラファン１の回転方向４において第１点１０１よりも後方で第２点１０２よりも前方に位置し、第１点１０１と第２点１０２との中間点となる吹出口１１の縁１２の位置を第４点１０４とする。プロペラファン１の回転方向４において第２点１０２よりも後方で第３点１０３よりも前方に位置し、第２点１０２と第３点１０３との中間点となる吹出口１１の縁１２の位置を第５点１０５とする。プロペラファン１の回転方向４において第１点１０１よりも後方で第４点１０４よりも前方となる吹出口１１の縁１２の位置を第６点１０６とする。中心点１００から第６点１０６までの径方向距離１３０を第１径方向距離１３１とする。
【００４４】
プロペラファン１の回転方向４において第５点１０５よりも後方で第３点１０３よりも前方となり、径方向距離１３０が第１径方向距離１３１となる吹出口１１の縁１２の位置を第７点１０７とする。中心点１００と第６点１０６とを結ぶ仮想直線を第３仮想直線１２３とする。中心点１００と第７点１０７とを結ぶ仮想直線を第４仮想直線１２４とする。複数の第１桟２１のうちで、中心点１００を中心とする任意の半径の仮想円１５０と第３仮想直線１２３との交点に位置する箇所を第８点１０８とする。複数の第１桟２１のうちで、仮想円１５０と第４仮想直線１２４との交点に位置する箇所を第９点１０９とする。
【００４５】
上述のように定義した場合、複数の第１桟２１のうちで第８点１０８となる箇所は、複数の第１桟２１のうちで図１０に示す領域Ｐ１内に存在する部分の任意の１箇所となる。また、複数の第１桟２１のうちで第９点１０９となる箇所は、複数の第１桟２１のうちで図１０に示す領域Ｑ１内に存在する部分の１箇所であり、上述の定義を満たす箇所となる。なお、領域Ｐ１とは、中心点１００と第１点１０１とを結ぶ仮想直線と、吹出口１１の縁１２の変化部１４において第１点１０１と第４点１０４との間になる部分と、中心点１００と第４点１０４とを結ぶ仮想直線と、で区画された領域である。また、領域Ｑ１とは、中心点１００と第５点１０５とを結ぶ仮想直線と、吹出口１１の縁１２の変化部１４において第５点１０５と第３点１０３との間になる部分と、中心点１００と第３点１０３とを結ぶ仮想直線と、で区画された領域である。
【００４６】
なお、領域Ｐ１は、図１０に示す領域Ｐ１の範囲を少なくとも含んでいればよい。このため、領域Ｐ１は、プロペラファン１の回転方向４において図１０に示す領域Ｐ１よりも前方に位置する領域を含んでいてもよい。例えば、図１０において、図６に示すＡ点とＢ点との中間点となる吹出口１１の縁１２の位置と、中心点１００とを仮想直線で結ぶ。そして、この仮想直線と、中心点１００と第４点１０４とを結ぶ仮想直線との間の領域を、領域Ｐ１としてもよい。同様に、領域Ｑ１も、図１０に示す領域Ｑ１の範囲を少なくとも含んでいればよい。このため、領域Ｑ１は、プロペラファン１の回転方向４において図１０に示す領域Ｑ１よりも後方に位置する領域を含んでいてもよい。例えば、図１０において、図６に示すＤ点とＥ点との中間点となる吹出口１１の縁１２の位置と、中心点１００とを仮想直線で結ぶ。そして、この仮想直線と、中心点１００と第５点１０５とを結ぶ仮想直線との間の領域を、領域Ｑ１としてもよい。
【００４７】
ここで、図６〜図８の説明でわかるように、図１０に示す領域Ｐ１においては、図１０に示す領域Ｑ１と比べ、プロペラファン１からの吹出気流は、回転軸１ａに対する傾きが小さくなる。換言すると、図１０に示す領域Ｑ１においては、図１０に示す領域Ｐ１と比べ、プロペラファン１からの吹出気流は、回転軸１ａに対する傾きが大きくなる。
【００４８】
そこで、本実施の形態１では、図１１に示すように、領域Ｐ１に存在する第８点１０８の傾斜角度１４０を、領域Ｑ１に存在する第９点１０９の傾斜角度１４０よりも小さくしている。このように第１桟２１の傾斜角度１４０を設定することにより、プロペラファン１からの吹出気流の回転軸１ａに対する傾きが小さい領域Ｐ１では、傾斜角度１４０を小さくできる。また、プロペラファン１からの吹出気流の回転軸１ａに対する傾きが大きい領域Ｑ１では、傾斜角度１４０を大きくできる。
【００４９】
このため、本実施の形態１に係る送風機４０では、プロペラファン１からの吹出気流の回転軸１ａに対する傾きが異なる領域Ｐ１及び領域Ｑ１において、プロペラファン１から吹き出された気流が第１桟２１に沿って流れることができる。したがって、本実施の形態１に係る送風機４０は、ファングリル２０の通風抵抗を従来よりも低減することができる。また、本実施の形態１に係る送風機４０は、プロペラファン１から吹き出された気流が第１桟２１の表面から剥離することと等を従来よりも抑制でき、気流の乱れを従来よりも抑制することもできる。すなわち、本実施の形態１に係る送風機４０は、送風機４０の駆動時に発生する騒音及びエネルギー損失を従来よりも低減できる。
【００５０】
なお、本実施の形態１では、複数の第１桟２１のうちで領域Ｐ１内に存在する部分の傾斜角度１４０を、同じ傾斜角度としている。また、複数の第１桟２１のうちで領域Ｑ１内に存在する部分の傾斜角度１４０を、同じ傾斜角度１４０としている。
【００５１】
さらに、本実施の形態１では、送風機４０の駆動時に発生する騒音及びエネルギー損失のさらなる低減を図っている。このため、以下のように、複数の第１桟２１のうちで図１０に示す領域Ｐ２内に存在する部分の傾斜角度１４０と、複数の第１桟２１のうちで図１０に示す領域Ｑ２内に存在する部分の傾斜角度１４０とを設定している。なお、領域Ｐ２とは、中心点１００と第４点１０４とを結ぶ仮想直線と、吹出口１１の縁１２の変化部１４において第４点１０４と第２点１０２との間になる部分と、中心点１００と第２点１０２とを結ぶ仮想直線と、で区画された領域である。また、領域Ｑ２とは、中心点１００と第２点１０２とを結ぶ仮想直線と、吹出口１１の縁１２の変化部１４において第２点１０２と第５点１０５との間になる部分と、中心点１００と第５点１０５とを結ぶ仮想直線と、で区画された領域である。
【００５２】
図１２は、本発明の実施の形態１に係る送風機において、回転軸と垂直な仮想平面に、回転軸、ベルマウスの吹出口及び複数の第１桟を投影した図である。
図１２に示す仮想平面において、第１０点１１０、第２径方向距離１３２、第１１点１１１、第５仮想直線１２５、第６仮想直線１２６、第１２点１１２、及び第１３点１１３を次のように定義する。
【００５３】
プロペラファン１の回転方向４において第４点１０４よりも後方で第２点１０２よりも前方となる吹出口１１の縁１２の位置を第１０点１１０とする。中心点１００から第１０点１１０までの径方向距離１３０を第２径方向距離１３２とする。プロペラファン１の回転方向４において第２点１０２よりも後方で第５点１０５よりも前方となり、径方向距離１３０が第２径方向距離１３２となる吹出口１１の縁１２の位置を第１１点１１１とする。中心点１００と第１０点１１０とを結ぶ仮想直線を第５仮想直線１２５とする。中心点１００と第１１点１１１とを結ぶ仮想直線を第６仮想直線１２６とする。複数の第１桟２１のうちで、仮想円１５０と第５仮想直線１２５との交点に位置する箇所を第１２点１１２とする。複数の第１桟２１のうちで、仮想円１５０と第６仮想直線１２６との交点に位置する箇所を第１３点１１３とする。
【００５４】
上述のように定義した場合、複数の第１桟２１のうちで第１２点１１２となる箇所は、複数の第１桟２１のうちで図１０に示す領域Ｐ２内に存在する部分の任意の１箇所となる。また、複数の第１桟２１のうちで第１３点１１３となる箇所は、複数の第１桟２１のうちで図１０に示す領域Ｑ２内に存在する部分の１箇所であり、上述の定義を満たす箇所となる。
【００５５】
ここで、図６〜図８の説明でわかるように、図１０に示す領域Ｐ２においては、図１０に示す領域Ｑ２と比べ、プロペラファン１からの吹出気流は、回転軸１ａに対する傾きが小さくなる。換言すると、図１０に示す領域Ｑ２においては、図１０に示す領域Ｐ２と比べ、プロペラファン１からの吹出気流は、回転軸１ａに対する傾きが大きくなる。
【００５６】
そこで、本実施の形態１では、領域Ｐ２に存在する第１２点１１２の傾斜角度１４０を、領域Ｑ２に存在する第１３点１１３よりも小さくしている。このように第１桟２１の傾斜角度１４０を設定することにより、プロペラファン１からの吹出気流の回転軸１ａに対する傾きが小さい領域Ｐ２では、傾斜角度１４０を小さくできる。また、プロペラファン１からの吹出気流の回転軸１ａに対する傾きが大きい領域Ｑ２では、傾斜角度１４０を大きくできる。
【００５７】
このため、本実施の形態１に係る送風機４０では、プロペラファン１からの吹出気流の回転軸１ａに対する傾きが異なる領域Ｐ２及び領域Ｑ２においても、プロペラファン１から吹き出された気流が第１桟２１に沿って流れることができる。したがって、本実施の形態１に係る送風機４０は、ファングリル２０の通風抵抗をさらに低減することができる。また、本実施の形態１に係る送風機４０は、プロペラファン１から吹き出された気流が第１桟２１の表面から剥離することと等をさらに抑制でき、気流の乱れをさらに抑制することもできる。すなわち、本実施の形態１に係る送風機４０は、送風機４０の駆動時に発生する騒音及びエネルギー損失をさらに低減できる。
【００５８】
なお、本実施の形態１では、領域Ｐ２内に存在する第１２点１１２の傾斜角度１４０を、領域Ｐ１内に存在する第８点１０８の傾斜角度１４０と同じにしている。また、複数の第１桟２１のうちで図１０に示す領域Ｐ２内に存在する部分の傾斜角度１４０を、同じ傾斜角度としている。また、領域Ｑ２内に存在する第１３点１１３の傾斜角度１４０を、領域Ｑ１内に存在する第９点１０９の傾斜角度１４０と同じにしている。また、複数の第１桟２１のうちで図１０に示す領域Ｑ２内に存在する部分の傾斜角度１４０を、同じ傾斜角度１４０としている。
【００５９】
ここで、本実施の形態１では、複数の第２桟２２の構成について特に言及しなかった。例えば、複数の第２桟２２を、上述した複数の第１桟２１と同様に構成してもよい。通風抵抗及び気流の乱れをさらに低減することができ、送風機４０の駆動時に発生する騒音及びエネルギー損失をさらに低減できる。
【００６０】
実施の形態２．
実施の形態１で示したベルマウス１０の吹出口１１の形状は、一例である。プロペラファン１の回転軸１ａを中心軸として非軸対称形状となっているベルマウス１０の吹出口１１に対して、実施の形態１のように第１桟２１の傾斜角度を設定することにより、送風機４０の駆動時に発生する騒音及びエネルギー損失を従来よりも低減できる。例えば、ベルマウス１０の吹出口１１は、次のような形状であってもよい。なお、本実施の形態２において、特に記述しない項目については実施の形態１と同様とし、実施の形態１と同一の機能及び構成については同一の符号を用いて述べることとする。
【００６１】
図１３は、本発明の実施の形態２に係る送風機において、回転軸と垂直な仮想平面に、回転軸及びベルマウスの吹出口を投影した図である。図１４は、本発明の実施の形態２に係る送風機における、回転軸とベルマウスの吹出口との距離を説明するための図である。また、図１５は、本発明の実施の形態２に係る送風機において、回転軸と垂直な仮想平面に、回転軸、ベルマウスの吹出口及び複数の第１桟を投影した図である。
【００６２】
実施の形態１に示した送風機４０と本実施の形態２に係る送風機４０とで異なる点は、ベルマウス１０の吹出口１１の縁１２における変化部１４の形状である。実施の形態１では、回転軸１ａ方向に変化部１４を観察した際、変化部１４は直線形状となっていた。一方、本実施の形態２では、回転軸１ａ方向に変化部１４を観察した際、変化部１４は円弧形状となっている。また、本実施の形態２に係る変化部１４の曲率半径は、一定部１３の曲率半径よりも大きくなっている。
【００６３】
図１４に示すように、本実施の形態２に係る送風機４０においても、第２仮想直線の一端である吹出口１１の縁１２の任意の一点をプロペラファン１の回転方向である回転方向４に移動させていくと、径方向距離１３０は実施の形態１と同様に変化する。
【００６４】
詳しくは、図１３に示すように、Ｆ点からＨ点までの範囲が変化部１４となっている。Ｆ点とＨ点との中間点をＧ点とした場合、Ｆ点からＧ点までの範囲では、径方向距離１３０は、縮小していく。すなわち、Ｆ点からＧ点までの範囲では、プロペラファン１の回転軸１ａからの距離が縮小していく。また、Ｇ点からＨ点までの範囲では、径方向距離１３０は、拡大していく。すなわち、Ｇ点からＨ点までの範囲では、プロペラファン１の回転軸１ａからの距離が拡大していく。
【００６５】
このため、本実施の形態２に係る送風機４０においても、変化部１４の影響により、プロペラファン１から吹き出される気流に実施の形態１と同様の変化が起こる。すなわち、径方向距離１３０が縮小していくＦ点からＧ点までの範囲では、プロペラファン１からの吹出気流は、回転軸１ａ方向の成分が強くなり、回転軸１ａに対する傾きが小さくなる。一方、径方向距離１３０が拡大していくＧ点からＨ点までの範囲では、プロペラファン１からの吹出気流は、回転軸１ａに対する傾きが大きくなる。
【００６６】
そこで、図１５に示すように、本実施の形態２に係る送風機４０においても、実施の形態１と同様に第８点１０８及び第９点１０９を定義している。なお、本実施の形態２の場合、第１点１０１は、例えば、図１３のＦ点となる。第２点１０２は、例えば、図１３のＧ点となる。第３点は、例えば、図１３のＨ点となる。
【００６７】
そして、本実施の形態２に係る送風機４０においても、第８点１０８の傾斜角度１４０を、第９点１０９の傾斜角度１４０よりも小さくしている。このように第１桟２１の傾斜角度１４０を設定することにより、実施の形態１と同様に、プロペラファン１からの吹出気流の回転軸１ａに対する傾きが小さい領域Ｐ１では、傾斜角度１４０を小さくできる。また、プロペラファン１からの吹出気流の回転軸１ａに対する傾きが大きい領域Ｑ１では、傾斜角度１４０を大きくできる。なお、本実施の形態２では、複数の第１桟２１のうちで領域Ｐ１内に存在する部分の傾斜角度１４０を、同じ傾斜角度としている。また、複数の第１桟２１のうちで領域Ｑ１内に存在する部分の傾斜角度１４０を、同じ傾斜角度１４０としている。
【００６８】
このため、本実施の形態２に係る送風機４０も、実施の形態１と同様に、プロペラファン１からの吹出気流の回転軸１ａに対する傾きが異なる領域Ｐ１及び領域Ｑ１において、プロペラファン１から吹き出された気流が第１桟２１に沿って流れることができる。したがって、本実施の形態２に係る送風機４０も、実施の形態１と同様に、ファングリル２０の通風抵抗を従来よりも低減することができる。また、本実施の形態２に係る送風機４０も、実施の形態１と同様に、プロペラファン１から吹き出された気流が第１桟２１の表面から剥離することと等を従来よりも抑制でき、気流の乱れを従来よりも抑制することもできる。すなわち、本実施の形態２に係る送風機４０も、実施の形態１と同様に、送風機４０の駆動時に発生する騒音及びエネルギー損失を従来よりも低減できる。
【００６９】
なお、実施の形態１と同様に、第１２点１１２及び第１３点１１３を定義し、第１２点１１２の傾斜角度１４０を、第１３点１１３よりも小さくしてもよい。これにより、プロペラファン１からの吹出気流の回転軸１ａに対する傾きが異なる領域Ｐ２及び領域Ｑ２においても、プロペラファン１から吹き出された気流が第１桟２１に沿って流れることができる。したがって、送風機４０の駆動時に発生する騒音及びエネルギー損失をさらなる低減を図ることができる。
【００７０】
実施の形態３．
複数の第１桟２１のうちで領域Ｐ１及び領域Ｐ２に存在する部分は、場所毎に傾斜角度１４０が異なっていてもよい。また、複数の第１桟２１のうちで領域Ｑ１及び領域Ｑ２に存在する部分は、場所毎に傾斜角度１４０が異なっていてもよい。なお、本実施の形態３において、特に記述しない項目については実施の形態１又は実施の形態２と同様とし、実施の形態１又は実施の形態２と同一の機能及び構成については同一の符号を用いて述べることとする。
【００７１】
図１６は、本発明の実施の形態３に係る送風機における傾斜角度の変化の一例を示す図である。なお、図１６に示す実線が、本実施の形態３に係る送風機４０の傾斜角度１４０の変化を示している。また、図１６に示す破線は、実施の形態１で示した送風機４０の傾斜角度１４０の変化を示している。
【００７２】
図１６に示す第１点１０１から第２点１０２までの破線でわかるように、実施の形態１で示した送風機４０においては、複数の第１桟２１のうちで領域Ｐ１及び領域Ｐ２に存在する部分は、傾斜角度１４０が同じとなっていた。また、図１６に示す第２点１０２から第３点１０３までの破線でわかるように、実施の形態１で示した送風機４０においては、複数の第１桟２１のうちで領域Ｑ１及び領域Ｑ２に存在する部分は、傾斜角度１４０が同じとなっていた。
【００７３】
一方、図１６に示す第１点１０１から第２点１０２までの実線でわかるように、本実施の形態３に係る送風機４０においては、複数の第１桟２１のうちで領域Ｐ１及び領域Ｐ２に存在する部分は、プロペラファン１の回転方向４に傾斜角度１４０を見ていった際、傾斜角度１４０が変化している。なお、図１６に示す傾斜角度１４０の増減の仕方は、あくまでも一例である。また、図１６に示す第２点１０２から第３点１０３までの実線でわかるように、本実施の形態３に係る送風機４０においては、複数の第１桟２１のうちで領域Ｑ１及び領域Ｑ２に存在する部分は、プロペラファン１の回転方向４に傾斜角度１４０を見ていった際、傾斜角度１４０が変化している。なお、図１６に示す傾斜角度１４０の増減の仕方は、あくまでも一例である。
【００７４】
本実施の形態３のように構成された送風機４０においても、第８点１０８の傾斜角度１４０を第９点１０９の傾斜角度１４０よりも小さくすることにより、送風機４０の駆動時に発生する騒音及びエネルギー損失を従来よりも低減できる。また、本実施の形態３のように構成された送風機４０においても、第１２点１１２の傾斜角度１４０を第１３点１１３よりも小さくすることにより、送風機４０の駆動時に発生する騒音及びエネルギー損失をさらに低減できる。
【００７５】
ここで、上述のように、吹出口１１の縁１２の変化部１４において側面壁１５がプロペラファン１の回転軸１ａに近づいていく範囲では、プロペラファン１からの吹出気流は、側面壁１５によって流れが強制され、回転軸１ａに対する傾きが小さくなる。このとき、吹出口１１の縁１２の変化部１４において側面壁１５がプロペラファン１の回転軸１ａに近づいていく範囲では、プロペラファン１からの吹出気流の回転軸１ａに対する傾きは、一様ではない。プロペラファン１からの吹出気流の回転軸１ａに対する傾きは、吹出口１１の縁１２の変化部１４の形状に伴って変化する。また、上述のように、吹出口１１の縁１２の変化部１４において側面壁１５がプロペラファン１の回転軸１ａから離れていく範囲では、プロペラファン１からの吹出気流は、回転軸１ａに対する傾きが大きくなる。吹出口１１の縁１２の変化部１４において側面壁１５がプロペラファン１の回転軸１ａから離れていく範囲においても、プロペラファン１からの吹出気流の回転軸１ａに対する傾きは、吹出口１１の縁１２の変化部１４の形状に伴って変化する。
【００７６】
そこで、本実施の形態３に係る送風機４０においては、複数の第１桟２１のうちで領域Ｐ１及び領域Ｐ２に存在する部分を、プロペラファン１の回転方向に傾斜角度１４０を見ていった際に該傾斜角度１４０が変化する構成としている。また、本実施の形態３に係る送風機４０においては、複数の第１桟２１のうちで領域Ｑ１及び領域Ｑ２に存在する部分を、プロペラファン１の回転方向に傾斜角度１４０を見ていった際に該傾斜角度１４０が変化する構成としている。このように構成することにより、プロペラファン１から吹き出された気流が第１桟２１にさらに沿って流れることができるようになり、通風抵抗及び気流の乱れをさらに低減することができる。したがって、本実施の形態３のように送風機４０を構成することにより、送風機４０の駆動時に発生する騒音及びエネルギー損失をさらに低減できる。
【００７７】
図１７は、本発明の実施の形態３に係る送風機における傾斜角度の変化の別の一例を示す図である。
図１６では、複数の第１桟２１のうちで領域Ｐ１及び領域Ｐ２に存在する部分の傾斜角度１４０を、滑らかに変化させた。これに限らず、例えば図１７に示すように、複数の第１桟２１のうちで領域Ｐ１及び領域Ｐ２に存在する部分の傾斜角度１４０を、階段状に変化させていってもよい。同様に、例えば図１７に示すように、複数の第１桟２１のうちで領域Ｑ１及び領域Ｑ２に存在する部分の傾斜角度１４０を、階段状に変化させていってもよい。
【００７８】
実施の形態４．
実施の形態１〜実施の形態３で示した送風機４０において、第１桟２１の傾斜角度１４０を回転軸１ａからの距離に応じて異ならせてもよい。送風機４０の駆動時に発生する騒音及びエネルギー損失をさらに低減できる。なお、本実施の形態４において、特に記述しない項目については実施の形態１〜実施の形態３のいずれかと同様とし、実施の形態１〜実施の形態３のいずれかと同一の機能及び構成については同一の符号を用いて述べることとする。
【００７９】
図１８は、本発明の実施の形態４に係る送風機において、回転軸と垂直な仮想平面に、回転軸、ベルマウスの吹出口及び複数の第１桟を投影した図である。また、図１９は、図１８に示す第１５点及び第１６点の位置における第１桟の断面図であり、第１５点及び第１６点の位置において第１桟を該第１桟の長手方向と垂直な断面で切断した切断面を示している。なお、図１９（ａ）が、図１８に示す第１５点での第１桟２１の断面図となっている。また、図１９（ｂ）が、図１８に示す第１６点での第１桟２１の断面図となっている。
【００８０】
図１８に示す仮想平面において、第１４点１１４、第７仮想直線１２７、第１５点１１５、及び第１６点１１６を次のように定義する。プロペラファン１の回転方向４において第１点１０１よりも後方で第３点１０３よりも前方となる吹出口１１の縁１２の位置を第１４点１１４とする。中心点１００と第１４点１１４とを結ぶ仮想直線を第７仮想直線１２７とする。複数の第１桟２１のうちで、第７仮想直線１２７との交点に位置する任意の１箇所を第１５点１１５とする。複数の第１桟２１のうちで、第１５点１１５よりも中心点１００から離れた位置において第７仮想直線１２７との交点に位置する箇所を第１６点１１６とする。
【００８１】
上述のように定義した場合、本実施の形態４に係る送風機４０においては、図１９に示すように、第１６点１１６の傾斜角度１４０は、第１５点１１５の傾斜角度１４０よりも大きくなっている。すなわち、本実施の形態４に係る送風機４０においては、複数の第１桟２１のうち、縁１２の変化部１４上の任意の点と中心点１００とを結ぶ仮想直線上に位置する箇所は、中心点１００つまり回転軸１ａから離れている箇所の方が傾斜角度１４０が大きくなっている。
【００８２】
プロペラファン１から吹き出される旋回流は、回転軸１ａから離れる程、速度が大きくなる。このため、プロペラファン１から吹き出される気流は、回転軸１ａから離れる程、回転軸１ａに対する傾きが大きくなる。このため、本実施の形態４のように第１桟２１の傾斜角度１４０を設定することにより、プロペラファン１から吹き出された気流が第１桟２１にさらに沿って流れることができるようになり、通風抵抗及び気流の乱れをさらに低減することができる。したがって、本実施の形態４のように送風機４０を構成することにより、送風機４０の駆動時に発生する騒音及びエネルギー損失をさらに低減できる。
【００８３】
実施の形態５．
実施の形態１〜実施の形態４で示した送風機４０に本実施の形態５で示す第１桟２１の傾斜角度１４０の設定構成を採用することにより、送風機４０の駆動時に発生する騒音及びエネルギー損失をさらに低減できる。なお、本実施の形態５において、特に記述しない項目については実施の形態１〜実施の形態４のいずれかと同様とし、実施の形態１〜実施の形態４のいずれかと同一の機能及び構成については同一の符号を用いて述べることとする。
【００８４】
図２０は、本発明の実施の形態５に係る送風機において、回転軸と垂直な仮想平面に、回転軸、ベルマウスの吹出口及び複数の第１桟を投影した図である。また、図２１は、図２０に示す第１７点及び第１８点の位置における第１桟の断面図であり、第１７点及び第１８点の位置において第１桟を該第１桟の長手方向と垂直な断面で切断した切断面を示している。なお、図２１（ａ）が、図２０に示す第１７点での第１桟２１の断面図となっている。また、図２１（ｂ）が、図２０に示す第１８点での第１桟２１の断面図となっている。また、図２１（ａ）及び図２１（ｂ）は、同じ方向から第１桟２１の断面を観察した図となっている。詳しくは、図２１（ａ）及び図２１（ｂ）は、紙面下側から第１桟２１の断面を観察した図となっている。すなわち、図２１（ａ）は、図２０のＸ−Ｘ断面図となっている。また、図２１（ｂ）は、図２０のＹ−Ｙ断面図となっている。
【００８５】
図２０に示す仮想平面において、第１７点１１７及び第１８点１１８を次のように定義する。複数の第１桟２１のうちの任意の１箇所を第１７点１１７とする。複数の第１桟２１のうちで、中心点１００を対称の中心としたときに第１７点１１７と点対称の位置になる箇所を第１８点１１８とする。
【００８６】
上述のように定義した場合、同方向から第１７点１１７及び第１８点１１８を観察した際、第１７点１１７と第１８点１１８とは、傾斜方向が逆になっている。
【００８７】
プロペラファン１から吹き出される気流は、上述のように旋回流となっている。このため、中心点１００を対称の中心とする２点を通るプロペラファン１からの吹出気流を同方向から観察した際、プロペラファン１からの吹出気流の回転軸１ａに対する傾きが逆となる。したがって、本実施の形態５のように第１桟２１の傾斜角度１４０を設定することにより、プロペラファン１から吹き出された気流が第１桟２１にさらに沿って流れることができるようになり、通風抵抗及び気流の乱れをさらに低減することができる。このため、本実施の形態５のように送風機４０を構成することにより、送風機４０の駆動時に発生する騒音及びエネルギー損失をさらに低減できる。
【００８８】
なお、第１７点１１７での傾斜角度１４０の大きさと、第１８点１１８での傾斜角度１４０とは、同じである必要はない。第１７点１１７での傾斜角度１４０は、第１７点１１７を通るプロペラファン１からの吹出気流の回転軸１ａに対する傾きに応じて、適宜決定すればよい。第１８点１１８での傾斜角度１４０は、第１８点１１８を通るプロペラファン１からの吹出気流の回転軸１ａに対する傾きに応じて、適宜決定すればよい。
【００８９】
例えば、図２０に示す第１７点１１７の位置は、プロペラファン１からの吹出気流が縁１２の変化部１４の影響を受ける位置となっている。詳しくは、第１７点１１７を通るプロペラファン１からの吹出気流は、側面壁１５によって流れが強制され、第１８点１１８を通るプロペラファン１からの吹出気流と比べ、回転軸１ａに対する傾きが小さくなる。一方、図２０に示す第１８点１１８の位置は、プロペラファン１からの吹出気流が縁１２の変化部１４の影響を受けない位置となっている。このため、第１８点１１８を通るプロペラファン１からの吹出気流は、第１７点１１７を通るプロペラファン１からの吹出気流と比べ、回転軸１ａに対する傾きが小さくなる。したがって、図２１では、第１７点１１７での傾斜角度１４０が、第１８点１１８での傾斜角度１４０よりも小さくなっている。
【００９０】
実施の形態６．
実施の形態１〜実施の形態５で示したファングリル２０を本実施の形態６の構成で製作することにより、実施の形態１〜実施の形態５で示した効果に加え、ファングリル２０の製作が容易になるという効果を得ることもできる。なお、本実施の形態６において、特に記述しない項目については実施の形態１〜実施の形態５のいずれかと同様とし、実施の形態１〜実施の形態５のいずれかと同一の機能及び構成については同一の符号を用いて述べることとする。
【００９１】
図２２は、本発明の実施の形態６に係る送風機のファングリルの一部を拡大した斜視図である。図２３は、本発明の実施の形態６に係る送風機において、回転軸と垂直な仮想平面に、回転軸、ベルマウスの吹出口及びファングリルを投影した図である。この図２３は、本実施の形態６における領域Ｐ１及び領域Ｑ１を説明するための図である。
【００９２】
本実施の形態６に係る送風機４０のファングリル２０においては、複数の第１桟２１のうちの任意の１つを観察した際、隣接する第２桟２２の間において傾斜角度１４０が同じになっている。詳しくは、図２２では、第１桟２１のそれぞれは、紙面上において、右斜め上に延びている。そして、１本の第１桟２１に着目すると、当該第１桟２１は、第２桟２２の位置で分割された複数の桟部分２１ａによって構成されている。そして、複数の桟部分２１ａのうちの任意の１つに着目すると、当該桟部分２１ａは、傾斜角度１４０が変化しない構成となっている。
【００９３】
ここで、実施の形態１〜実施の形態５で示したファングリル２０を製作する場合、１本の第１桟２１に着目すると、当該第１桟２１は、場所毎に傾斜角度１４０が変化する構成となる。この際、本実施の形態６に係る第１桟２１のそれぞれは、桟部分２１ａ毎に傾斜角度１４０を異ならせ、第２桟２２を境として傾斜角度１４０を変化させている。なお、本実施の形態６に係る第２桟２２のそれぞれは、第１桟２１のそれぞれと同様に、長手方向と垂直な断面が細長い形状となっている。そして、本実施の形態６に係る第２桟２２のそれぞれは、傾斜角度１４０が例えば０°となっている。
【００９４】
１本の第１桟２１において場所毎に傾斜角度１４０を変化させる構成としては、当該第１桟２１を捻り、傾斜角度１４０を連続的に変化させることが考えられる。しかしながら、このような構成にした場合、ファングリル２０の製作が難しくなる。詳しくは、ファングリル２０は、例えば、樹脂の射出成形によって製作される。この場合、第１桟２１を捻って傾斜角度１４０を連続的に変化させる構成とした場合、第１桟２１を成形する金型部分の構造が複雑となってしまうからである。
【００９５】
また、１本の第１桟２１において場所毎に傾斜角度１４０を変化させる構成としては、本実施の形態６のように１本の第１桟２１を複数の桟部分２１ａで構成し、桟部分２１ａ毎に傾斜角度１４０を異ならせることも考えられる。この際、第２桟２２の位置でない箇所で傾斜角度１４０を異ならせようとすると、隣接する桟部分２１ａの端部同士を直接接続することとなる。しかしながら、隣接する桟部分２１ａの端部同士を直接接続した場合、接続箇所の面積が小さくなってしまう。このため、隣接する桟部分２１ａの端部同士を直接接続した場合、接続箇所の強度不足に起因して、外からの異物侵入を防止する機能が損なわれる可能性がある。
【００９６】
一方、本実施の形態６に係るファングリル２０においては、桟部分２１ａの端部は、第２桟２２の側面に接続されることとなる。このため、本実施の形態６に係るファングリル２０においては、接続箇所の面積を大きくできる。例えば、桟部分２１ａの端部の全面を第２桟２２の側面に接続することができる。このため、本実施の形態６に係るファングリル２０は、接続箇所の強度不足を防止することができる。また、本実施の形態６に係るファングリル２０においては、複数の桟部分２１ａのうちの任意の１つに着目すると、当該桟部分２１ａは、傾斜角度１４０が変化しない。このため、桟部分２１ａを成形する金型部分の構造が複雑にならない。したがって、本実施の形態６のようにファングリル２０を構成することにより、ファングリル２０の製作が容易になる。
【００９７】
ここで、本実施の形態６のようにファングリル２０を構成した場合、中心点１００と第１点１０１とを結ぶ仮想直線上に第１桟２１と第２桟２２との接続部がない場合、当該仮想直線上において傾斜角度１４０を異ならせることができない。また、本実施の形態６のようにファングリル２０を構成した場合、中心点１００と第４点１０４とを結ぶ仮想直線上に第１桟２１と第２桟２２との接続部がない場合、当該仮想直線上において傾斜角度１４０を異ならせることができない。このため、本実施の形態６のようにファングリル２０を構成した場合、図１０で示したように領域Ｐ１を区画することができない。したがって、本実施の形態６のようにファングリル２０を構成した場合、図２３に示すように、第２桟２２の位置で階段状に、領域Ｐ１を区画すればよい。そして、階段状に区画した領域Ｐ１の内部に、図１０で示した領域Ｐ１が入っていればよい。
【００９８】
同様に、本実施の形態６のようにファングリル２０を構成した場合、中心点１００と第３点１０３とを結ぶ仮想直線上に第１桟２１と第２桟２２との接続部がない場合、当該仮想直線上において傾斜角度１４０を異ならせることができない。また、本実施の形態６のようにファングリル２０を構成した場合、中心点１００と第５点１０５とを結ぶ仮想直線上に第１桟２１と第２桟２２との接続部がない場合、当該仮想直線上において傾斜角度１４０を異ならせることができない。このため、本実施の形態６のようにファングリル２０を構成した場合、図１０で示したように領域Ｑ１を区画することができない。したがって、本実施の形態６のようにファングリル２０を構成した場合、図２３に示すように、第２桟２２の位置で階段状に、領域Ｑ１を区画すればよい。そして、階段状に区画した領域Ｑ１の内部に、図１０で示した領域Ｑ１が入っていればよい。
【００９９】
なお、本実施の形態６のように第２桟２２のそれぞれを長手方向と垂直な断面が細長い形状とする場合、ファングリル２０の製作の容易性を考慮すると、第２桟２２のそれぞれは、１本の第２桟２２において場所毎に傾斜角度１４０を変化させないことが好ましい。
【０１００】
実施の形態７．
冷凍サイクル装置は、送風機と、内部を流れる冷媒と送風機によって供給された空気とが熱交換する熱交換器と、を備えている。実施の形態１〜実施の形態６で示した送風機４０は、例えば、このような冷凍サイクル装置の送風機として用いることができる。以下では、冷凍サイクル装置の一例である空気調和機に、実施の形態１〜実施の形態６で示した送風機４０を用いた例について紹介する。より詳しくは、冷凍サイクル装置に送風機４０を用いた以下の例では、空気調和機の室外機の送風機として、送風機４０を用いている。なお、本実施の形態７において、特に記述しない項目については実施の形態１〜実施の形態６のいずれかと同様とし、実施の形態１〜実施の形態６のいずれかと同一の機能及び構成については同一の符号を用いて述べることとする。
【０１０１】
図２４は、本発明の実施の形態７に係る空気調和機の室外機を吹出口側から見たときの斜視図である。図２５は、本発明の実施の形態７に係る空気調和機の室外機の内部構造を上方から見た図である。図２６は、本発明の実施の形態７に係る空気調和機の室外機を吹出口側から見たときの斜視図であり、ファングリルを取り外した状態を示す図である。図２７は、本発明の実施の形態７に係る空気調和機の室外機の内部構造を示す斜視図である。なお、図２５に示す直線上の矢印は、室外機５０周辺の空気の流れを示している。
【０１０２】
空気調和機の室外機５０は、筐体である室外機本体５１を備えている。室外機本体５１は、側面５１ａ、側面５１ｃ、前面５１ｂ、背面５１ｄ、上面５１ｅ、及び底面５１ｆを備えている。側面５１ａ及び背面５１ｄは、外部から室外機本体５１内に空気を吸い込むための吸込口５１ｈが形成されている。また、前面５１ｂにおいては、該前面５１ｂの一部を構成する前面パネル５２に、室外機本体５１内から外部に空気を吹出すための吹出口５３が形成されている。
【０１０３】
室外機本体５１の内部は、仕切板５１ｇによって、送風室５６と、機械室５７とに分けられている。送風室５６には、実施の形態１〜実施の形態６のいずれかで示された送風機４０のプロペラファン１及びベルマウス１０が収納されている。送風機４０のプロペラファン１は、背面５１ｄ側にあるファンモータ６１と軸部６２を介して接続されており、このファンモータ６１によって回転駆動される。
【０１０４】
送風機４０のベルマウス１０の吹出口１１は、吹出口５３の外周を囲むように室外機の前面パネル５２と接続している。なお、ベルマウス１０は、前面パネル５２と一体的に構成されていてもよいし、あるいは、前面パネル５２とは別体として構成されていてもよい。このベルマウス１０によって、吹出口５３近傍の風路が、送風室５６内の他の空間と区切られる。
【０１０５】
ここで、上述のように、送風機４０は、プロペラファン１が発生する気流方向においてベルマウス１０の吹出口１１よりも下流側となる位置に、ファングリル２０を備えている。本実施の形態７に係る室外機５０では、ファングリル２０は、前面パネル５２に設けられている。そして、前面パネル５２は、送風機４０のプロペラファン１及びベルマウス１０の吹出口１１と共に、前面パネル５２に形成された吹出口５３も通風自在に覆う構成となっている。これにより、物体等とプロペラファン１との接触を防止し、安全が図られている。
【０１０６】
また、送風室５６には、熱交換器６８が収納されている。熱交換器６８は、平面視略Ｌ字形状をしており、側面５１ａ及び背面５１ｄに形成された吸込口５１ｈと対向するように配置されている。この熱交換器６８は、内部を流れる冷媒と送風機４０によって供給された空気とが熱交換するものである。本実施の形態７では、熱交換器６８として、フィンアンドチューブ型の熱交換器を用いている。すなわち、熱交換器６８は、所定の間隔を空けて並べられた複数のフィンと、これらフィンの並設方向に各フィンを貫通する複数の伝熱管と、を備えている。各伝熱管内には、冷媒回路を循環する冷媒が流通する。
【０１０７】
機械室５７には、圧縮機６４が収納されている。この圧縮機６４は、配管６５等を介して熱交換器６８と接続されている。圧縮機６４及び熱交換器６８は、図示せぬ室内側熱交換器及び膨張弁等と接続されて、冷媒回路を構成する。また、機械室５７には、基板箱６６が収納されている。この基板箱６６に設けられた制御基板６７によって、室外機５０に搭載されたファンモータ６１及び圧縮機６４等の機器が制御されている。
【０１０８】
本実施の形態７に係る空気調和機の室外機５０は、騒音及びエネルギー損失が従来よりも低減する実施の形態１〜実施の形態６のいずれかで示された送風機４０を備えている。このため、本実施の形態７に係る空気調和機の室外機５０は、低騒音で低エネルギー損失な室外機となる。
【０１０９】
なお、実施の形態１〜実施の形態６で示された送風機４０は、空気調和機以外の冷凍サイクル装置に用いることも勿論可能である。例えば、冷凍サイクル装置の一例である給湯機は、室外機に、内部を流れる冷媒と送風機によって供給された空気とが熱交換する熱交換器を備えている。このため、給湯機の室外機に、実施の形態１〜実施の形態６で示された送風機４０を用いてもよい。
【符号の説明】
【０１１０】
１  プロペラファン、１ａ  回転軸、１ｂ  仮想直線、２  ボス、３  翼、４  回転方向、５  前縁、６  後縁、７  外周縁、８  気流、１０  ベルマウス、１１  吹出口、１２  縁、１３  一定部、１４  変化部、１５  側面壁、２０  ファングリル、２１  第１桟、２１ａ  桟部分、２２  第２桟、２３  上流側端部、２４  下流側端部、４０  送風機、５０  室外機、５１  室外機本体、５１ａ  側面、５１ｂ  前面、５１ｃ  側面、５１ｄ  背面、５１ｅ  上面、５１ｆ  底面、５１ｇ  仕切板、５１ｈ  吸込口、５２  前面パネル、５３  吹出口、５６  送風室、５７  機械室、６１  ファンモータ、６２  軸部、６４  圧縮機、６５  配管、６６  基板箱、６７  制御基板、６８  熱交換器、９０  気流、９１  気流、９２  気流、１００  中心点、１０１  第１点、１０２  第２点、１０３  第３点、１０４  第４点、１０５  第５点、１０６  第６点、１０７  第７点、１０８  第８点、１０９  第９点、１１０  第１０点、１１１  第１１点、１１２  第１２点、１１３  第１３点、１１４  第１４点、１１５  第１５点、１１６  第１６点、１１７  第１７点、１１８  第１８点、１２１  第１仮想直線、１２２  第２仮想直線、１２３  第３仮想直線、１２４  第４仮想直線、１２５  第５仮想直線、１２６  第６仮想直線、１２７  第７仮想直線、１３０  径方向距離、１３１  第１径方向距離、１３２  第２径方向距離、１４０  傾斜角度、１５０  仮想円。
【図１】
2019234793.tif 000003
【図２】
2019234793.tif 000004
【図３】
2019234793.tif 000005
【図４】
2019234793.tif 000006
【図５】
2019234793.tif 000007
【図６】
2019234793.tif 000008
【図７】
2019234793.tif 000009
【図８】
2019234793.tif 000010
【図９】
2019234793.tif 000011
【図１０】
2019234793.tif 000012
【図１１】
2019234793.tif 000013
【図１２】
2019234793.tif 000014
【図１３】
2019234793.tif 000015
【図１４】
2019234793.tif 000016
【図１５】
2019234793.tif 000017
【図１６】
2019234793.tif 000018
【図１７】
2019234793.tif 000019
【図１８】
2019234793.tif 000020
【図１９】
2019234793.tif 000021
【図２０】
2019234793.tif 000022
【図２１】
2019234793.tif 000023
【図２２】
2019234793.tif 000024
【図２３】
2019234793.tif 000025
【図２４】
2019234793.tif 000026
【図２５】
2019234793.tif 000027
【図２６】
2019234793.tif 000028
【図２７】
2019234793.tif 000029
【国際調査報告】
2019234793.tif 000030
2019234793.tif 000031
2019234793.tif 000032